(57)【要約】      （修正有）【課題】デジタルカメラとダイレクトに通信できるプリンタにおいて、ＣＤレーベルへの印刷時の操作を簡略化し、印刷ミスを低減するプリントシステムを提供する。【解決手段】矩形状の記録媒体を前記記録手段に供給する矩形記録媒体供給手段と、同心円状の記録媒体を記録手段に供給する同心円記録媒体供給手段と、矩形記録媒体供給手段と同心円記録媒体供給手段とを切り替える供給手段切り替え手段と、供給手段切り替え手段の切り替え状態に基づいて記録手段の記録設定を変更する標準記録設定変更手段とを備え、記録設定変更手段は、供給手段切り替え手段の切り替え状態が矩形記録媒体供給手段であった場合には記録手段の記録設定を矩形記録媒体用の第１の記録設定とし、供給手段切り替え手段の切り替え状態が同心円記録媒体供給手段であった場合には記録手段の記録設定を同心円記録媒体用の第２の記録設定とする。【選択図】図６
2008307850.tif 000002
【特許請求の範囲】
【請求項１】
画像を記録媒体上に記録するプリント装置であって、
デジタルカメラとダイレクトに通信する通信手段と、
前記通信手段を用いてデジタルカメラの保持する画像を記録媒体上に記録する記録手段と、
矩形状の記録媒体を前記記録手段に供給する矩形記録媒体供給手段と、
同心円状の記録媒体を前記記録手段に供給する同心円記録媒体供給手段と、
前記矩形記録媒体供給手段と前記同心円記録媒体供給手段とを切り替える供給手段切り替え手段と、
前記供給手段切り替え手段の切り替え状態に基づいて前記記録手段の記録設定を変更する標準記録設定変更手段と、
を備え、前記記録設定変更手段は、
前記供給手段切り替え手段の切り替え状態が前記矩形記録媒体供給手段であった場合には前記記録手段の記録設定を前記矩形記録媒体用の第１の記録設定とし、
前記供給手段切り替え手段の切り替え状態が前記同心円記録媒体供給手段であった場合には前記記録手段の記録設定を前記同心円記録媒体用の第２の記録設定とする、
ことを特徴とするプリント装置。
【請求項２】
請求項１に記載のプリント装置であって、
前記第１の記録設定は回転・拡大・縮小・切り出しのうち少なくとも１つの処理を行い、
前記第２の記録設定は拡大・縮小・切り出しのうち少なくとも１つの処理および同心円の外径の外側および内径の内側を非印字領域とする処理を行う、
ことを特徴とするプリント装置。
【請求項３】
請求項１ないし２に記載のプリント装置であって、
前記記録設定変更手段は、
前記記録手段の標準の記録設定を変更する、
ことを特徴とするプリント装置。
【発明の詳細な説明】
【技術分野】
【０００１】
本発明はデジタルカメラとダイレクトに通信可能なプリント装置及びシステムに関するものである。なお、昨今のデジタルカメラは動画も撮影する機能を有するものがあるが、少なくともその基本は静止画撮影であるので、かかる機能を有する装置をもデジタルカメラ（ＤＳＣ）と称することとする。
【背景技術】
【０００２】
通常、デジタルカメラで撮影した映像を、プリントする場合、そのデジタルカメラに記憶された画像をパーソナルコンピュータ（以下、ＰＣ）で読取り、ＰＣ上のアプリケーションを用いて、接続されたプリンタで印刷するという作業を踏む。
【０００３】
つまり、画像データの流れとしては、ＤＳＣ→ＰＣ→プリンタという手順になり、ＰＣの所有を必須としている。また、ＤＳＣに記憶されている画像を印刷するのに、一々ＰＣを起動しなければならないという問題もある。
【０００４】
かかる点に着目し、ＤＳＣとプリンタとをダイレクトに接続し、ＤＳＣが通常備えている表示器上でプリント指示を与える提案（以下、フォトダイレクトプリントという）を既にいくつか行っている。
【０００５】
上記フォトダイレクトプリントシステムを採用することのメリットは、ＰＣを起動せずとも、手軽に印刷できる点は勿論であるが、ＰＣを必須とするものでもないから、システム構築が安価にできる点が挙げられる。また、プリンタにＤＳＣを接続した際、各種指示、特に、印刷させようとする画像を確認するための手段として、ＤＳＣが通常備える表示器を利用するので、プリンタ側に画像確認のための格別な表示器を必要とせず、更に、コストを更に削減できることも見逃せないメリットとなる。
【０００６】
また従来、インクジェットプリンタの機能の一つとしてＣＤレーベル印刷機能があった。これはＣＤのレーベル面にインクジェットプリンタのインクを受容する受容層を形成したインクジェット印刷用ＣＤの表面にＣＤの内径・外径によって規定される同心円状に切り出した画像を直接インクジェット記録する事で、任意のフルカラーＣＤレーベルを印刷する事が出来る機能である。
【０００７】
一般的にこのＣＤのレーベル印刷はプリンタと接続されたＰＣ上のアプリケーションとして提供され、ユーザはそのＰＣアプリケーションを使用してＣＤレーベルを印刷していた。
【０００８】
また、ＰＣを用いないプリンタ単独使用の状況においても、液晶ディスプレイ等の表示機器を含む操作パネルを搭載したプリンタでは、ＰＣ上のアプリケーションと同様の作業を上記操作パネル上で行うことでＣＤレーベルの印刷を実現してきた。
【０００９】
又、従来例としては、例えば特許文献１と特許文献２をあげることが出来る。
【特許文献１】特開2001-31522号公報
【特許文献２】特開2006-142643号公報
【発明の開示】
【発明が解決しようとする課題】
【００１０】
しかし、上記フォトダイレクトプリントシステムにおいては、直接「ＣＤレーベル印刷」を指示する機能をサポートした標準的なシステムは存在しなかった。
【００１１】
そこで、上記操作パネルを搭載したプリンタ上で上記フォトダイレクトプリントシステムを使用して、プリンタの操作パネル上の設定を「ＣＤレーベル印刷」とし、ＤＳＣの操作パネル上の設定を「プリンタお任せ」とする事でＣＤレーベル印刷を実現してきた。
【００１２】
しかし、上記手法では、
ステップ１：プリンタの印刷トレイに光ディスクをセットする
ステップ２：プリンタのＵＩ操作を行い、「光ディスク」を選択する
ステップ３：ＤＳＣのＵＩ操作を行い、「プリンタお任せ」を選択する
ステップ４：ＤＳＣのＵＩ操作を行い、プリントを指示する
ステップ５：プリンタはＤＳＣから写真データを取得する
ステップ６：プリンタは写真データを元にレーベル面への印刷画像データを作成する
ステップ７：プリンタは光ディスクへのレーベル面への印刷を行う
という様に処理が行われるが、ステップ１〜４でユーザはプリンタとＤＳＣの両方を操作して印刷ジョブを開始する必要があり、いずれのステップで間違いが発生してもユーザの期待する印刷結果とならない危険性が有る。
【００１３】
例えばステップ１〜ステップ２で「光ディスク」のセット選択をし忘れると、紙メディアに光ディスク用の内径・外径によって規定される同心円状に切り出したレイアウトで印刷してしまう危険性がある。同様にステップ３で「プリンタお任せ」以外を選択してしまうと、光ディスクのレーベル面に写真用紙向けの矩形レイアウトで印刷してしまい、レーベル面以外の領域に印字をしてしまいインクで汚してしまう危険性もある。
【００１４】
更に、本質的な課題として、上記従来例はステップ２〜ステップ３においてプリンタとＤＳＣの両方の機器のＵＩ操作を必要とし、ユーザの混乱を招きやすく、その為の人為的な操作ミスを誘発してしまい易い、という事が挙げられる。
【００１５】
本願発明はかかる問題点に鑑みなされたものであり、デジタルカメラとダイレクトに通信できるプリンタにおいて、ＣＤレーベルへの印刷時の操作を簡略化し、印刷ミスを低減するプリント装置及びその制御方法、並びに、プリントシステムを提供しようとするものである。
【課題を解決するための手段】
【００１６】
かかる課題を解決するため、例えば本発明のプリント装置は以下の構成を備える。即ち、
画像を記録媒体上に記録するプリント装置であって、
デジタルカメラとダイレクトに通信する通信手段と、
前記通信手段を用いてデジタルカメラの保持する画像を記録媒体上に記録する記録手段と、
矩形状の記録媒体を前記記録手段に供給する矩形記録媒体供給手段と、
同心円状の記録媒体を前記記録手段に供給する同心円記録媒体供給手段と、
前記矩形記録媒体供給手段と前記同心円記録媒体供給手段とを切り替える供給手段切り替え手段と、
前記供給手段切り替え手段の切り替え状態に基づいて前記記録手段の記録設定を変更する標準記録設定変更手段と、
を備え、前記記録設定変更手段は、
前記供給手段切り替え手段の切り替え状態が前記矩形記録媒体供給手段であった場合には前記記録手段の記録設定を前記矩形記録媒体用の第１の記録設定とし、
前記供給手段切り替え手段の切り替え状態が前記同心円記録媒体供給手段であった場合には前記記録手段の記録設定を前記同心円記録媒体用の第２の記録設定とする、
ことを特徴とするプリント装置。
【００１７】
また、上記に記載のプリント装置であって、
前記第１の記録設定は回転・拡大・縮小・切り出しのうち少なくとも１つの処理を行い、
前記第２の記録設定は拡大・縮小・切り出しのうち少なくとも１つの処理および同心円の外径の外側および内径の内側を非印字領域とする処理を行う、
ことを特徴とするプリント装置。
【００１８】
また、上記に記載のプリント装置であって、
前記記録設定変更手段は、
前記記録手段の標準の記録設定を変更する、
ことを特徴とするプリント装置。
【発明の効果】
【００１９】
以上の説明した様に、デジタルカメラ３０１２から送られる「印刷ジョブの設定」およびＰＤプリンタ１０００内部で設定される「デフォルト印字モード」もしくはＰＤプリンタ１０００内部で検知される「ＣＤトレイガイドの開閉状態」の状況に応じて自動的に回転・拡大・縮小・切り出しの処理を切り替える事で、ユーザの意図に反したＣＤレーベル印刷結果の発生可能性を低減する事が出来る。
【発明を実施するための最良の形態】
【００２０】
以下、添付図面に従って本発明に係る実施形態を説明する。
【００２１】
＜基本構成の説明＞
先ず、本実施形態における基本部分について説明する。なお、以下、プリンタがデジタルスチルカメラ（ＤＳＣ）とダイレクトに通信可能な環境において、ＤＳＣ内の記憶媒体に記憶された映像を印刷する方式をフォトダイレクトプリント方式と呼ぶことにする。
【００２２】
図１は実施形態におけるフォトダイレクトプリンタ（ＰＤプリンタという）の装置外観図であり、図２はこのＰＤプリントでＣＤレーベル印刷を行う為にＣＤトレイガイドを開いた状態、図３はＤＳＣをプリンタにダイレクト接続する様を示している。
【００２３】
図１において、このＰＤプリント装置１０００は、ホストコンピュータ（ＰＣ）からデータを受信して印刷する通常のＰＣプリンタとしての機能と、デジタルカメラからの画像データを受信して印刷する機能を備えている。
【００２４】
ＰＤプリント装置１０００の外殻をなす本体は、ケースＭ１００１、上ケース１００２、アクセスカバー１００３及び排出トレイ１００４の外装部材を有している。また、下ケース１００１は、ＰＤプリント装置１０００の略下半部を、上ケース１００２は本体の略上半部をそれぞれ形成しており、両ケースの組合せによって内部に後述の各機構を収納する収納空間を有する中空体構造をなし、その上面部及び前面部にはそれぞれ開口部が形成されている。さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００２５】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００２６】
また、上ケース１００２の上面には、電源キー１００５が押下可能に設けられている。１００７は自動給送部で、記録シートを装置本体内へと自動的に給送する。１０１２は後述するデジタルカメラを接続するための端子である。通常、デジタルカメラはパーソナルコンピュータ（ＰＣ）と接続する手段として、ＵＳＢ（Ｕｎｉｖｅｒｓａｌ  Ｓｅｒｉａｌ  Ｂｕｓ）を使用することが多いので、本実施形態でも端子１０１２はＵＳＢインターフェース形態を採用したが、勿論、これ以外の通信手段でも構わない。また、デジタルカメラとの接続は、その接続作業を簡便なものとするため、図示の如く、前面から行えるようにした。
【００２７】
一方、本ＰＤプリント装置１０００はパーソナルコンピュータ（ＰＣ）からの印刷をも実現するためのインターフェースを備える。通常、ＰＣとは一旦接続した後は、格別な事情がない限りは接続状態が維持されたままであるので、そのインターフェース端子は背面に設けた。このＰＣ間との接続インターフェースはセントロニクス社仕様のパラレルインターフェース、ＵＳＢインターフェース等でよいが、少なくとも双方向通信機能をサポートするものとした。
【００２８】
また、１００６はＣＤレーベル印刷用のＣＤトレイガイドであり、通常は図１の様に折りたたまれた状態となっている。この状態ではＣＤレーベル印刷は実行出来ず、自動給送部１００７から送られる記録シート上への記録のみ行える。
【００２９】
図２はＣＤレーベル印刷用のＣＤトレイガイド１００６が開かれた状態を示す。ＣＤトレイガイド１００６が図２の様に開かれると、連動してプリントエンジンは必要な紙間に設定される。１００６ａはＣＤトレイであり、１００６ｂはインクジェット印刷用ＣＤである。
【００３０】
ＣＤトレイ１００６ａにインクジェット印刷用ＣＤ１００６ｂを設置してＣＤトレイガイド１００６に挿入することにより、インクジェット印刷用ＣＤ１００６ｂのレーベル面に印刷を行う事が出来る。
【００３１】
なお、ここでは特に図示しないが、ＣＤトレイガイド１００６を開閉させると、その裏面に形成された突起がカバー開閉レバーを回転させるようになっており、そのレバーの回転位置をマイクロスイッチなどで検出することにより、ＣＤトレイガイド１００６の開閉状態を検出し得るようになっている。
【００３２】
図３は本実施の形態に係るＰＤプリント装置１０００とデジタルカメラ３０１２とを接続した状態を示している。
【００３３】
図において、ケーブル５０００（ＵＳＢケーブル）は、ＰＤプリント装置１０００のコネクタ１０１２に接続するためのコネクタ５００１と、デジタルカメラ３０１２の接続用コネクタ５００３と接続するためのコネクタ５００２とを備えている。なお、デジタルカメラ３０１２をＰＣと接続する場合には、ＰＣが有するＵＳＢコネクタに、上記コネクタ５００１を接続することで、撮像した画像をＰＣに転送することができる。
【００３４】
また、デジタルカメラ３０１２は、内部のメモリに保存している画像データを、接続用コネクタ５００３を介して出力可能に構成されている。なお、デジタルカメラ３０１２の構成としては、内部に記憶手段としてのメモリを備えるものや、取外し可能なメモリを装着するためのスロットを備えたものなど、種々の構成を採用することができる。このように、図３に示すケーブル５０００を介してＰＤプリント装置１０００とデジタルカメラ３０１２とを接続することにより、デジタルカメラ３０１２からの画像データを直接ＰＤプリント装置１０００で印刷することができる。
【００３５】
図４は実施形態におけるＰＤプリンタ１０００の制御系のブロック構成図である。
【００３６】
図示において、１は装置全体の制御を司るＣＰＵ、２はＣＰＵ１の動作処理手順（プログラム）やフォントを記憶しているＲＯＭ、３はＣＰＵ１のワークエリアとして使用されるＲＡＭである。４は操作パネル（図１における１００５に相当）である。５はＰＣとの接続を行うためのインターフェースであり、７はデジタルスチルカメラとの接続を行うインターフェース（ＵＳＢのホスト側）である。６はプリンタエンジン部であり、実施形態では、熱エネルギーを利用してインク液を吐出するプリントエンジンであるが、記録方式はこれにより限定されるものではない。
【００３７】
図５はＤＳＣ（デジタルスチルカメラ）３０１２のブロック構成図である。同図において、３１はＤＳＣ全体の制御を司るＣＰＵであり、３２はＣＰＵ３１の処理手順を記憶しているＲＯＭである。３３はＣＰＵ３３のワークエリアとして使用されるＲＡＭであり、３４は各種操作を行うスイッチ群である。３５は液晶表示器であり、撮像した画像を確認したり、各種設定を行う際のメニューを表示するために使用される。３６は光学ユニットであり、主としてレンズ及びその駆動系で構成される。３７はＣＣＤ素子であり、３８はＣＰＵ３１の制御下において光学ユニット３６を制御するドライバである。３９は記憶媒体（メモリカード）４０を接続するためのコネクタであり、４１はＰＣ或いは実施形態におけるＰＤプリンタ１０００と接続するためのＵＳＢインターフェース（ＵＳＢのスレーブ側）である。
【００３８】
以上が実施形態におけるＰＤプリンタ及びＤＳＣの構成の説明である。以下、かかる構成に基づく、実施形態を説明する。
【００３９】
（第１の実施形態）
図６は第１の実施形態における処理フローその１を説明する図である。
【００４０】
このフローチャートは、ＰＤプリンタ１０００の内部処理の説明であり、フォトダイレクトプリントシステムとしての処理とは独立に行われる、図１中不図示のＣＤトレイガイド１００６の開閉状態検知手段の検知結果のフォトダイレクトプリントシステム上の「デフォルト印字モード」への反映処理を示す。
【００４１】
これはプリンタの電源がＯｎされてからＯｆｆされるまで常時行っても良いが、基本的にはＤＳＣが接続されている間だけ行う様にしてもその目的は達せられる。また、ＤＳＣからの印刷ジョブが発行される毎に１回だけ行う様にしても十分その目的は達せられる。
【００４２】
まずステップＳ６０１でＣＤトレイガイドの状態が「閉」状態にあるか「開」状態にあるかを検知する。
【００４３】
ステップＳ６０２では検知結果が「閉」状態であるか否かを判定する。判定結果がＹｅｓの場合にはステップＳ６０３へと進む。ステップＳ６０３ではＣＤトレイガイドが閉まっている、つまりユーザとしてはＣＤレーベル印刷を意図していないと予想されるのでフォトダイレクトプリントシステムの「デフォルト印字モード」を「写真用紙・Ｌ判」と設定し、処理を終了する。
【００４４】
ステップＳ６０２での判定結果がＮｏの場合にはステップＳ６０４へと進む。ステップＳ６０４ではＣＤトレイガイドが開いている、つまりユーザとしてはＣＤレーベル印刷を意図していると予想されるのでフォトダイレクトプリントシステムの「デフォルト印字モード」を「インクジェット用ＣＤ・外径１２ｃｍ・内径４ｃｍ」と設定し、処理を終了する。
【００４５】
以上の様に処理を行うことで、ＣＤトレイガイドの状況に応じてユーザの意図を予想し、フォトダイレクトプリントの「デフォルト印刷モード」を設定する事で、従来例のステップ２における「ユーザによるプリンタＵＩ操作」を省く事が出来る。
【００４６】
図７は第１の実施形態における処理フローその２を説明する図である。
【００４７】
このフローチャートは、ＰＤプリンタ１０００の内部処理の説明であり、フォトダイレクトプリントシステムとしての処理中、図６のフローチャートで設定された「デフォルト印字モード」がどう機能するかを説明する図である。
【００４８】
まずステップＳ７０１でＰＤプリンタ１０００は印刷ジョブをデジタルカメラ３０１２から受信する。続いてステップＳ７０２でＰＤプリンタ１０００は印刷ジョブ中に指定された写真画像をデジタルカメラ３０１２から取得する。この写真画像の取得自体は必ずしもこのステップで行う必要は無く、他のタイミングで有っても、また複数のタイミングに分割して行ってもいずれの手法を用いても良い。
【００４９】
続いてステップＳ７０３で受信した印刷ジョブの印字モードが「デフォルト印字モード」であるか否かを判定する。判定結果が「Ｙｅｓ」の場合にはステップＳ７０４に進む。ステップＳ７０４では図６のフローチャートで設定された「デフォルト印字モード」が「写真用紙・Ｌ判」であるか否かを判定する。判定結果が「Ｙｅｓ」の場合にはステップＳ７０５へと進む。ステップＳ７０５ではステップＳ７０２で取得した写真画像をＬ判サイズにフィッティングさせる為に回転・拡大・縮小を行う。続いてステップＳ７０６ではステップＳ７０５で回転・拡大・縮小を行った写真画像に対してＬ判サイズの矩形で切り出しを行う。そしてステップＳ７１１へとすすみ、ステップＳ７０６で切り出した写真画像を印刷データに変換して出力を行い、処理を終了する。
【００５０】
図８に第１の実施形態における処理フローその２のステップＳ７０５〜ステップＳ７０６の詳細を説明する図その１を示す。ここでデジタルカメラ３０１２は１２８０万画素（横４３９８ｘ縦２９１２画素）とする。
【００５１】
まず、横長の元画像に対し、Ｌサイズの出力矩形は縦長（６００ＤＰＩ：横２１００ｘ縦３０００画素）なので、回転処理を行い、縦長（横２９１２ｘ縦４３９８画素）とする。次に、Ｌサイズの出力矩形は回転した元画像より画素数が少ない（出力矩形画素数は回転した元画像に対して横７２％・縦６８％の画素数）ので、回転した元画像を出力矩形にフィットするように縮小を行う。回転した元画像と出力矩形は縦横比が同じでは無いので、相対比率の大きい横方向（７２％に縮小）の比率で縮小を行う。縮小画像は出力矩形に対して相対比率の大きい縦方向に剰余画素が存在する（横２１００ｘ縦３１７２画素）ので、剰余画素分の切り出し（上下共に８６画素分・合計１７２画素分）を行う。図中斜線部が切り出しによって捨てられる画像領域である。切り出し画像は出力矩形と同じ画素数（横２１００ｘ縦３０００画素）となる。
【００５２】
図９に第１の実施形態における処理フローその２のステップＳ７０５〜ステップＳ７０６の詳細を説明する図その２を示す。ここでデジタルカメラ３０１２は５３０万画素（横２５９２ｘ縦１９４４画素）とする。
【００５３】
まず、横長の元画像に対し、Ｌサイズの出力矩形は縦長（６００ＤＰＩ：横２１００ｘ縦３０００画素）なので、回転処理を行い、縦長（横１９４４ｘ縦２５９２画素）とする。次に、Ｌサイズの出力矩形は回転した元画像より画素数が多い（出力矩形画素数は回転した元画像に対して横１０８％・縦１１６％の画素数）ので、回転した元画像を出力矩形にフィットするように拡大を行う。回転した元画像と出力矩形は縦横比が同じでは無いので、相対比率の大きい縦方向（１１６％に拡大）の比率で縮小を行う。拡大画像は出力矩形に対して相対比率の小さい横方向に剰余画素が存在する（横２２５０ｘ縦３０００画素）ので、剰余画素分の切り出し（左右共に７５画素分・合計１５０画素分）を行う。図中斜線部が切り出しによって捨てられる画像領域である。切り出し画像は出力矩形と同じ画素数（横２１００ｘ縦３０００画素）となる。
【００５４】
ステップＳ７０４の判定結果が「Ｎｏ」だった場合にはステップＳ７０７へと進む。ステップＳ７０７ではステップＳ７０２で取得した写真画像をインクジェット用ＣＤの外形１２ｃｍにフィッティングさせる為に拡大・縮小を行う。続いてステップＳ７０８ではステップＳ７０７で拡大・縮小を行った写真画像に対してインクジェット用ＣＤの外形１２ｃｍ・内径４ｃｍで規定される同心円の内外部分に対して白化を行う。そしてステップＳ７１１へとすすみ、ステップＳ７０８で切り出した写真画像を印刷データに変換して出力を行い、処理を終了する。
【００５５】
図１０に第１の実施形態における処理フローその２のステップＳ７０７〜ステップＳ７０８の詳細を説明する図その１を示す。ここでデジタルカメラ３０１２は１２８０万画素（横４３９８ｘ縦２９１２画素）とする。
【００５６】
まず、インクジェット用ＣＤレーベルの出力同心円外径は１２ｃｍ（６００ＤＰＩ：２８３５画素）であり、元画像より画素数が少ない（出力同心円外径画素数は元画像に対して横６４％・縦９７％の画素数）ので、元画像を出力同心円外径にフィットするように縮小を行う。元画像は必ずしも正方形では無いので、相対比率の大きい縦方向（９７％に縮小）の比率で縮小を行う。縮小画像は出力同心円外径に対して相対比率の小さい横方向に剰余画素が存在する（横４２８１ｘ縦２８３５画素）ので、剰余画素分の矩形切り出し（左右共に７２３画素分・合計１４４６画素分）を行う。図中斜線部が切り出しによって捨てられる画像領域である。矩形切り出し画像は出力同心円外径と同じ画素数（横２８３５ｘ縦２８３５画素）の正方形となる。次に矩形切り出しされた画像に対し、インクジェット用ＣＤレーベルの出力同心円外径１２ｃｍ（６００ＤＰＩ：２８３５画素）および内径４ｃｍ（６００ＤＰＩ：９４４画素）で規定される同心円の内外部分の白化を行う。図中網点部が白化が行われる画像領域である。これはインクジェット用ＣＤレーベルの内径の内側・外形の外側部分に印刷情報が存在するとレーベル面以外の部分をインクで汚染してしまうので、それを防止する為に印刷画像を修正してインクで汚染しない様にする為の処理である。
【００５７】
同心円内外白化が行われた画像はＣＤレーベル面の印刷可能領域と同じ形状となる。
【００５８】
図１１に第１の実施形態における処理フローその２のステップＳ７０７〜ステップＳ７０８の詳細を説明する図その２を示す。ここでデジタルカメラ３０１２は５３０万画素（横２５９２ｘ縦１９４４画素）とする。
【００５９】
まず、インクジェット用ＣＤレーベルの出力同心円外径は１２ｃｍ（６００ＤＰＩ：２８３５画素）であり、元画像より画素数が多い（出力同心円外径画素数は元画像に対して横１０９％・縦１４６％の画素数）ので、元画像を出力同心円外径にフィットするように拡大を行う。元画像は必ずしも正方形では無いので、相対比率の大きい縦方向（１４６％に拡大）の比率で拡大を行う。拡大画像は出力同心円外径に対して相対比率の小さい横方向に剰余画素が存在する（横３７８１ｘ縦２８３５画素）ので、剰余画素分の矩形切り出し（左右共に４７３画素分・合計９４６画素分）を行う。図中斜線部が切り出しによって捨てられる画像領域である。矩形切り出し画像は出力同心円外径と同じ画素数（横２８３５ｘ縦２８３５画素）の正方形となる。次に矩形切り出しされた画像に対し、インクジェット用ＣＤレーベルの出力同心円外径１２ｃｍ（６００ＤＰＩ：２８３５画素）および内径４ｃｍ（６００ＤＰＩ：９４４画素）で規定される同心円の内外部分の白化を行う。図中網点部が白化が行われる画像領域である。
【００６０】
同心円内外白化が行われた画像はＣＤレーベル面の印刷可能領域と同じ形状となる。
【００６１】
ステップＳ７０３の判定結果が「Ｎｏ」だった場合にはステップＳ７０９へと進む。ステップＳ７０９ではステップＳ７０２で取得した写真画像をステップＳ７０１で受信した印刷ジョブで指定された出力サイズにフィッティングさせる為に回転・拡大・縮小を行う。続いてステップＳ７１０ではステップＳ７０９で回転・拡大・縮小を行った写真画像に対して指定された出力サイズに切り出しを行う。そしてステップＳ７１１へとすすみ、ステップＳ７１０で切り出した写真画像を印刷データに変換して出力を行い、処理を終了する。
【００６２】
ステップＳ７０９〜ステップＳ７１０の処理内容の詳細はステップＳ７０４〜ステップＳ７０５と方針として同じであり、出力矩形サイズが異なるだけであるので省略する。
【００６３】
以上の様に処理を行うことで、デジタルカメラ３０１２から送られる「印刷ジョブの設定」およびＰＤプリンタ１０００内部で設定される「デフォルト印字モード」の状況に応じて自動的に回転・拡大・縮小・切り出しの処理を切り替える事で、ユーザの意図に反したＣＤレーベル印刷結果の発生可能性を低減する事が出来る。
【００６４】
また、通常デジタルカメラ３０１２の操作ＵＩ上の初期状態では印字モードが「デフォルト印字モード」となっている場合が多いので、その場合には、
ステップ１：プリンタの印刷トレイに光ディスクをセットする
ステップ２：ＤＳＣのＵＩ操作を行い、プリントを指示する
ステップ３：プリンタはＤＳＣから写真データを取得する
ステップ４：プリンタは写真データを元にレーベル面への印刷画像データを作成する
ステップ５：プリンタは光ディスクへのレーベル面への印刷を行う
という様に、ユーザの操作ステップ数としては最小のステップ数でＣＤレーベル印刷を実現する事が出来る。
【００６５】
（第２の実施形態）
第１の実施形態ではフォトダイレクトプリントシステムの「デフォルト印字モード」の設定と印刷ジョブの実行を別処理として説明したが、本実施の形態では印刷ジョブの実行と「デフォルト印字モード」の設定を一連の処理として行う例を説明する。
【００６６】
図１２は第２の実施形態における処理フローを説明する図である。本フローは第１の実施形態と異なり、フォトダイレクトプリントシステムの「デフォルト印字モード」の設定が行われていない状態から開始される。
【００６７】
図中ステップＳ１２０１〜ステップＳ１２０３、ステップＳ１２０５〜ステップＳ１２１１の処理内容は第１の実施形態の図７中のステップＳ７０１〜ステップＳ７０３、ステップＳ７０５〜ステップＳ７１１と同じであるので説明を省略する。
【００６８】
本実施の形態においては、ステップＳ１２０３の結果が「Ｙｅｓ」だった場合にはステップＳ１２１２へと進む。ステップＳ１２１２ではＣＤトレイガイドの状態が「閉」状態にあるか「開」状態にあるかを検知する。（第１の実施形態の図６中のステップＳ６０１と同じ処理）
ステップＳ１２０４では検知結果が「閉」状態であるか否かを判定する。判定結果が「Ｙｅｓ」の場合にはステップＳ１２０５へと進み、以後処理を継続する。
【００６９】
ステップＳ１２０４の判定結果が「Ｎｏ」の場合にはステップＳ１２０７へと進み、以後処理を継続する。
【００７０】
また、ＣＤトレイガイドの開閉検出方法としては上記回転レバーとマイクロスイッチによる物の限定されるものではなく、接触型・非接触型を問わず、「ユーザによるＵＩ操作ではなく、ＣＤトレイガイドの開閉によってユーザのＣＤレーベル印刷意図を予想する」という目的を達成出来る方式であれば、いずれの方式を用いても構わない。
【００７１】
また、ＣＤレーベルの外径・内径を便宜上それぞれ１２ｃｍ・４ｃｍとして説明したが、特にこのサイズに限定される物ではなく、いずれのサイズを用いても構わない。
【００７２】
また、本説明中ではＣＤレーベルと記述したが、特にＣＤに限定する必要は無く、本発明の目的を実現出来るのであればＤＶＤのレーベルであっても、その次世代のレーベルであっても構わない。
【００７３】
また、回転・縮小・拡大・切り出し・白化の処理についても、特に本説明中で開示して手法に限るわけではなく、ＣＤレーベル印刷と写真印刷を好適に行える形態であれば、いずれの手法を用いても構わない。
【００７４】
また、写真印刷の「デフォルト印字モード」で「写真用紙：Ｌ判」を用いて説明したが、特にこの用紙種類・サイズに限定される物ではなく、本発明の目的を実現出来るのであればいずれの用紙種類・サイズを用いても構わない。
【００７５】
以上の様に処理を行うことで、デジタルカメラ３０１２から送られる「印刷ジョブの設定」およびＰＤプリンタ１０００内部で検知される「ＣＤトレイガイドの開閉状態」の状況に応じて自動的に回転・拡大・縮小・切り出しの処理を切り替える事で、第１の実施形態と同様にユーザの意図に反したＣＤレーベル印刷結果の発生可能性を低減する事が出来る。
【図面の簡単な説明】
【００７６】
【図１】実施形態におけるＣＤトレイガイド閉状態でのプリント装置の外観図である。
【図２】実施形態におけるＣＤトレイガイド開状態でのプリント装置の外観図である。
【図３】実施形態におけるデジタルカメラとプリント装置との接続を行う場合の図である。
【図４】実施形態におけるプリント装置のブロック構成図である。
【図５】実施形態におけるデジタルカメラのブロック構成図である。
【図６】第１の実施形態における処理フローその１を説明する図である。
【図７】第１の実施形態における処理フローその２を説明する図である。
【図８】第１の実施形態における処理フローその２のステップＳ７０５〜ステップＳ７０６の詳細を説明する図その１である。
【図９】第１の実施形態における処理フローその２のステップＳ７０５〜ステップＳ７０６の詳細を説明する図その２である。
【図１０】第１の実施形態における処理フローその２のステップＳ７０７〜ステップＳ７０８の詳細を説明する図その１である。
【図１１】第１の実施形態における処理フローその２のステップＳ７０７〜ステップＳ７０８の詳細を説明する図その２である。
【図１２】第２の実施形態における処理フローを説明する図である。
【図１】
2008307850.tif 000003
【図２】
2008307850.tif 000004
【図３】
2008307850.tif 000005
【図４】
2008307850.tif 000006
【図５】
2008307850.tif 000007
【図６】
2008307850.tif 000008
【図７】
2008307850.tif 000009
【図８】
2008307850.tif 000010
【図９】
2008307850.tif 000011
【図１０】
2008307850.tif 000012
【図１１】
2008307850.tif 000013
【図１２】
2008307850.tif 000014